(57)【要約】  【課題】  用紙サイズに応じて移動可能なスライド部のロックを確実に行うように誘導され、用紙の位置ずれを防止することが可能な給紙カセットを提供する。  【解決手段】  給紙カセット１は、メインフレーム１０と、給紙カセット出し入れ方向に移動可能なスライドフレーム２０と、その移動をロックするロック機構３０とを備える。ロック機構３０は、スライドフレーム２０の移動方向と直角をなす方向に移動するロック片３２を備える。ロック片３２の一端からは、ストッパ４０が、ロック片３２の移動方向と平行に、給紙カセット１の外側に向かって突出している。ストッパ４０は、ロック機構３０がスライドフレーム２０をロックしている時には給紙カセット１の内側に退避してプリンタ１００への給紙カセット１の収納を妨げず、スライドフレーム２０をロックしていない時には給紙カセット１の外側に突出して給紙カセット１の収納の妨げとなる。【選択図】      図９
2006008377.tif 000002
【特許請求の範囲】
【請求項１】
機器本体から引き出し可能な給紙カセットにおいて、
前記給紙カセットは、基体部と、この基体部に連結し、用紙サイズに応じて給紙カセット出し入れ方向に移動可能なスライド部と、これら基体部とスライド部との間に設けられ、スライド部の移動をロックするロック機構と、このロック機構と連動し、給紙カセットの外部に出没するストッパとを備え、このストッパは、ロック機構がスライド部をロックしている時には給紙カセットの内側に退避して前記機器本体への給紙カセットの収納を妨げず、ロック機構がスライド部をロックしていない時には給紙カセットの外側に突出して機器本体のフレームに引っ掛かり給紙カセットの収納の妨げとなることを特徴とする給紙カセット。
【請求項２】
前記ロック機構が、前記スライド部の移動方向に位置をずらした複数のロック溝と、スライド部の移動方向と直角をなす方向に移動して前記ロック溝に係合するロック片と、このロック片を前記ロック溝との係合位置であるロック位置に付勢する付勢手段と、この付勢手段に抗してロック解除位置に変位せしめられたロック片を拘束する係合部と、前記複数のロック溝間に設けられ、スライド部を移動させる際ロック片に接触して前記係合部からロック片を解放するスロープとで構成されることを特徴とする請求項１に記載の給紙カセット。
【請求項３】
前記ストッパと前記ロック片とが、一体として構成されていることを特徴とする請求項２に記載の給紙カセット。
【発明の詳細な説明】
【技術分野】
【０００１】
本発明は、機器に供給する用紙を予め多数ストックしておくために用いられる給紙カセットに関する。
【背景技術】
【０００２】
給紙カセットは、複写機やプリンタに代表される画像形成装置において、カットペーパー等の給紙用部材として一般的に多く使用されている。画像形成装置における給紙装置には、給紙カセットに印刷前の用紙を予め多数ストックしておき、カセット内に積み重ねられた用紙の最上層から１枚ずつ用紙を分離供給するものが多い。
【０００３】
一方、近年の画像形成装置の小型化推進により、画像形成装置の設置床面積が小さくなり、給紙カセットも平面投影面積を小さくする必要があった。これにより、給紙カセットは、画像形成装置の設置床面積内に納まるよう、用紙サイズが小さいものに限定された。これには、通常の使用においては特に問題ないが、大きなサイズの用紙を多数印刷したい場合に、印刷ができない、或いは大きいサイズの給紙カセットをオプションとして購入する必要がある等の問題があった。
【０００４】
そこで、通常は画像形成装置の設置床面積に合わせたサイズの給紙カセットであるが、用紙サイズに応じて伸縮することが可能な給紙カセットが提案された。このような給紙カセットの一例を、特許文献１に見ることができる。
【０００５】
特許文献１に記載の給紙カセットは、基体部であるメインカセットと、このメインカセットに係合して用紙供給方向に移動可能なスライド部であるスライドカセットとを備えている。このスライドカセットを移動することにより、給紙カセットを用紙供給方向に伸ばすことが可能である。
【特許文献１】特開平１１−２９２３１１号公報（第３頁、図２、図５）
【発明の開示】
【発明が解決しようとする課題】
【０００６】
特許文献１に記載の給紙カセットは、分割された一方のカセットに形成された２本の爪を有する鉤状部材と、他方のカセットに備えられ、ロック位置とロック解除位置との間で移動可能なピン状部材との係合により、スライドカセットの位置決めとロックを行うものである。しかしながら、このロック機構には、ロックを掛け忘れたり、ロックが不十分であったりすることを防止するための対策が講じられていない。そして、このロック機構では、ロックを掛け忘れた状態であっても、機器本体に給紙カセットを収納することができてしまう。その結果、機器本体に給紙カセットを収納する時に給紙カセットを勢いよく移動すると、慣性力が作用してスライドカセットが意図せず移動する可能性が高い。これにより、スライドカセットを縮めた状態では、用紙が適正な給紙位置からずれて給紙不良が発生し、スライドカセットを伸ばした状態では、スライドカセットがメインカセットから外れてしまう恐れがある。
【０００７】
本発明は上記の点に鑑みなされたものであり、機器本体から引き出し可能な給紙カセットにおいて、用紙サイズに応じて移動可能なスライド部のロックを確実に行うように誘導され、用紙の位置ずれを防止することが可能な給紙カセットを提供することを目的とする。
【課題を解決するための手段】
【０００８】
上記の課題を解決するため、本発明は、機器本体から引き出し可能な給紙カセットにおいて、前記給紙カセットは、基体部と、この基体部に連結し、用紙サイズに応じて給紙カセット出し入れ方向に移動可能なスライド部と、これら基体部とスライド部との間に設けられ、スライド部の移動をロックするロック機構と、このロック機構と連動し、給紙カセットの外部に出没するストッパとを備え、このストッパは、ロック機構がスライド部をロックしている時には給紙カセットの内側に退避して前記機器本体への給紙カセットの収納を妨げず、ロック機構がスライド部をロックしていない時には給紙カセットの外側に突出して機器本体のフレームに引っ掛かり給紙カセットの収納の妨げとなることとした。
【０００９】
また、前記ロック機構が、前記スライド部の移動方向に位置をずらした複数のロック溝と、スライド部の移動方向と直角をなす方向に移動して前記ロック溝に係合するロック片と、このロック片を前記ロック溝との係合位置であるロック位置に付勢する付勢手段と、この付勢手段に抗してロック解除位置に変位せしめられたロック片を拘束する係合部と、前記複数のロック溝間に設けられ、スライド部を移動させる際ロック片に接触して前記係合部からロック片を解放するスロープとで構成されることとした。
【００１０】
また、前記ストッパと前記ロック片とが、一体として構成されていることとした。
【発明の効果】
【００１１】
本発明の構成によれば、機器本体から引き出し可能な給紙カセットにおいて、基体部と、この基体部に連結し、給紙カセット出し入れ方向に移動可能なスライド部と、スライド部の移動をロックするロック機構と、このロック機構と連動し、給紙カセットの外部に出没するストッパとを備え、このストッパは、ロック機構がスライド部をロックしている時には給紙カセットの内側に退避して機器本体への給紙カセットの収納を妨げず、ロック機構がスライド部をロックしていない時には給紙カセットの外側に突出して機器本体のフレームに引っ掛かり給紙カセットの収納の妨げとなることとしたので、スライド部のロックを忘れていたり、ロックが不十分であったりした場合に、ロックを確実に行うことを使用者に示唆することができる。給紙カセットのスライド部のロックが確実になされることにより、慣性力が作用してスライド部が意図せず移動してしまうことがないので、用紙の適正な給紙位置からのずれと、これに起因する給紙不良を防止することが可能となる。
【００１２】
また、スライド部の移動をロックするロック機構が、複数のロック溝と、このロック溝に係合するロック片と、このロック片をロック溝との係合位置であるロック位置に付勢する付勢手段と、この付勢手段に抗してロック解除位置に変位せしめられたロック片を拘束する係合部と、前記複数のロック溝間に設けられ、スライド部を移動させる際ロック片に接触して前記係合部からロック片を解放するスロープとで構成されることとしたので、ロック片を手で移動するだけでロック解除位置に拘束できるとともに、これに連動させてストッパを給紙カセットの外側に突出させることが可能である。一方、スライド部を移動するだけで、ロック解除位置に拘束されたロック片を解放させ、ロック片がロック溝位置に到達した段階で自動的にスライド部をロックすることができるとともに、これに連動させてストッパを給紙カセットの内側に退避させることが可能である。このようにして、ストッパを、簡単に給紙カセット外部に出没させることができる。したがって、上記のような簡便な機構により、使用者にスライド部のロックを確実に行わせることが可能となる。
【００１３】
また、ストッパとロック片とが、一体として構成されていることとしたので、ロック片のロック解除位置への移動と同時に、確実にストッパを給紙カセットの外側に突出させることができる。これにより、ロック機構がスライド部をロックしていない時には、確実にストッパが機器本体のフレームに引っ掛かるようにすることができる。
【発明を実施するための最良の形態】
【００１４】
以下、本発明の実施形態を図１〜図１５に基づき説明する。なおここでは、本発明の給紙カセットが、画像形成装置（プリンタ）の下部に備えられる給紙カセットとして設計されているものとする。
【００１５】
最初に、本発明の給紙カセットについて、図１〜図３を用いてその構造の概略を説明する。図１は、本発明の実施形態に係る給紙カセットとこれを備えたプリンタを示す斜視図である。図２は図１に示す給紙カセットの斜視図にして、縮小状態を示すもの、図３は同じく拡張状態を示すものである。
【００１６】
図１に示すように、給紙カセット１は、プリンタ１００の下部に収容されるものであり、側面に設けられた水平突条２をプリンタ１００内部のレールに係合させ、図に示す矢印Ａの方向に水平にスライドして挿入される。給紙カセット１の前面にはパネル３が備えられ、このパネル３がプリンタ１００の前面下部のハウジングの一部を構成する役割を担う。図２、及び図３に示すように、給紙カセット１は、上面が開口した平たい箱で構成され、その上面方向から用紙を積載して収容する。プリンタ１００内において、給紙カセット１の前部上方には、図示しない給紙手段が備えられ、用紙は図に示す矢印Ｂの方向に供給される。
【００１７】
図２、及び図３に示すように、給紙カセット１を構成する主な要素は、基体部であるメインフレーム１０と、スライド部であるスライドフレーム２０とである。用紙は、これらのフレームの内面に設けられたトレイ部１１、２１に積載される。メインフレーム１０は、用紙の供給方向下流側を支持するものである。スライドフレーム２０は、メインフレーム１０に連結して、用紙の供給方向上流側を支持し、用紙サイズに応じて給紙カセット１の出し入れ方向に移動可能である。なお、図３は給紙カセット１の拡張状態を示すものであるが、スライドフレーム２０は、図示しない係止部が移動限界となり、この図３に示す位置を超えてメインフレーム１０から引き抜かれるようなことはない。そして、これらメインフレーム１０とスライドフレーム２０が重なり合う部分には、スライドフレーム２０の移動をロックするロック機構３０が備えられている。ロック機構３０は、用紙供給方向と直角をなす方向の中央から左右両側に各１箇所ずつ、計２個設けられている。
【００１８】
続いて、ロック機構３０周辺の詳細な構成について、図４〜図９を用いて説明する。図４は図３に示す給紙カセットの部分拡大斜視図、図５は図４に示すロック溝、及びスロープの模型的垂直断面部分拡大図である。図６は図４に示すロック片の上面斜視図、図７は同じく下面斜視図である。図８は図４と同様の給紙カセットの部分拡大斜視図にして、縮小状態を示すもの、図９は図８のロック部分を示す模型的垂直断面部分拡大図にして、用紙供給方向下流側から見たものである。
【００１９】
ロック機構３０は、ロック溝３１、ロック片３２、ばね３３、ロック片係合部３４、及びスロープ３５で構成されている。
【００２０】
ロック溝３１は、図４に示すように、スライドフレーム２０のトレイ部２１の底面２２に設けられている。ロック溝３１は、用紙供給方向であるスライドフレーム２０の移動方向に位置をずらして、３個設けられている。用紙供給方向最上流側に第１のロック溝３１ａが、次に下流側にずらして第２のロック溝３１ｂが、さらに下流側にずらして図示しない第３のロック溝が設けられている。図４は、この第３のロック溝にロック片３２が係合している状態を示している。底面２２には、スライドフレーム２０の移動方向と直角をなす方向（以下、用紙幅方向と称す）の中央よりやや外側に、下方に窪んだ、スライドフレーム２０の移動方向に伸びるロック片滑走面２３と、このロック片滑走面２３に隣接して、さらにスライドフレーム２０の中央寄りに配置された段部２４とが設けられている。ロック溝３１は、この段部２４の垂直壁２４ａ（図５参照）に、スライドフレーム２０の外側から内側に向かって凹となるように設けられている。
【００２１】
ロック片３２は、図９に示すように、メインフレーム１０のトレイ部１１の底面１２に設けられたロック片収納部１３に収納されている。ロック片３２は、このロック片収納部１３内で用紙幅方向に移動して、上記ロック溝３１に係合する。図６、及び図７に示すように、ロック片３２には、ロック片３２を移動する時に指で操作する操作部３２ａが設けられている。使用者は、ロック片収納部１３の上方に設けられた開口１４（図４、図８参照）から指を入れて操作部３２ａに触れることができる。操作部３２ａの一側面は、ロック片係合部３４に当接して係合する係合部当接面３２ｂとして機能する。ロック片３２の内部には、ばね３３の端部を受ける受座３２ｃが設けられている。受座３２ｃは、ロック片３２の移動方向と平行に設けられている。ロック片３２の下部には、スライドフレーム２０のロック片滑走面２３と接触する支持突起３２ｄが設けられている。ロック片３２の上面には、ロック位置からロック解除位置に向かう方向を指す矢印３２ｅが一体成型されている。さらに、ロック片３２の上面には、メインフレーム１０側のばね３３の受座を通すための開口３２ｆが設けられている。
【００２２】
ばね３３は、図９に示すように、ロック片収納部１３内において、メインフレーム１０とロック片３２との間に備えられている。ばね３３は、ロック片３２をロック位置に付勢する付勢手段である。ばね３３は、その一端がメインフレーム１０に設けられた受座１５に、他端がロック片３２に設けられた受座３２ｃに支持される。メインフレーム１０の受座１５は、ロック片３２上面の開口３２ｆを通って、ロック片３２の内部に位置する。このようなばね３３は、ロック片３２を、用紙幅方向の外側から内側に向かう方向、すなわちロック位置へと向かう方向に付勢する。なお、ばね３３は圧縮コイルばねで構成されるが、ゴムや板ばね、スポンジ等の弾性部材を付勢手段として用いることも可能である。
【００２３】
ロック片係合部３４は、図９に示すように、ロック片収納部１３の、ロック片３２の操作部３２ａが存在する部分の近傍に設けられている。ロック片係合部３４は、ロック片収納部１３の内壁からロック片３２の方に向かって水平に突出する突起である。図９に示すロック状態において、ロック片係合部３４は、ロック片３２の操作部３２ａの下方に位置する。そして、ロック片係合部３４は、ロック片３２をばね３３に抗してロック解除方向に移動した時に、ロック片３２の係合部当接面３２ｂに当接して係合し、ロック片３２をロック解除位置に拘束するものである（図１１参照）。
【００２４】
スロープ３５は、図４、及び図５に示すように、スライドフレーム２０のトレイ部２１の底面２２に設けられたロック片滑走面２３の一部分として構成されている。ロック片滑走面２３は、前述のようにスライドフレーム２０の移動方向に伸び、ロック溝３１が存在する最も低い面２３ａと、各ロック溝間の中央部分に存在する最も高い面２３ｂと、これらの間に存在するスロープ３５とで構成されている。ロック片３２は、スライドフレーム２０が移動するのに従って、このロック片滑走面２３上を、その支持突起３２ｄを滑らせながら移動する。スロープ３５は、このロック片３２の移動過程で、ロック片３２を上方に押し上げて、ロック解除位置に拘束されたロック片３２をロック片係合部３４から解放するものである。
【００２５】
ロック機構３０のロック片３２の一端には、図６、及び図７に示すように、ストッパ４０が設けられている。ストッパ４０は、ロック片３２と一体として構成されている。ストッパ４０は、ロック片３２の移動方向と平行に、給紙カセット１の外側に向かって長く突出する、断面が矩形のスティック状をなしている。このストッパ４０の突出長さは、図９に示すようにロック片３２がロック位置にある時、メインフレーム１０の側面の水平突条２の先端よりも外側にはみ出さない長さである。
【００２６】
次に、ロック機構３０の動作について、給紙カセット１が縮小状態であって、第１のロック溝３１ａの位置でロックされている状態から、拡張されて第２のロック溝３１ｂの位置でロックされる状態へと移り変わる過程を、図８、及び図９に加え、図１０〜図１５を用いて説明する。
【００２７】
図１０はロック解除状態にあるロック部分を示す模型的垂直断面部分拡大図にして、用紙供給方向下流側から見たもの、図１１は図１０のロック片係合部を示す部分拡大斜視図である。図１２は給紙カセットの拡張途中の状態にあるロック部分を示す模型的垂直断面部分拡大図にして、用紙供給方向下流側から見たもの、図１３は図８と同様の給紙カセットの部分拡大斜視図にして、拡張途中の状態を示すものである。図１４は、第２のロック溝位置でロックされた給紙カセットの部分拡大斜視図である。図１５は、不完全なロック状態にある給紙カセットをプリンタに挿入した状態を示す部分拡大斜視図である。
【００２８】
給紙カセット１を拡張する時は、給紙カセット１をプリンタ１００から引き出す。給紙カセット１は、図８に示す縮小状態にある時、スライドフレーム２０は第１のロック溝３１ａ（図３参照）の位置でロックされている。図９に示すように、ロック片３２が第１のロック溝３１ａに係合し、スライドフレーム２０は拡張状態へと移動することができないようになっている。この時、ストッパ４０は、水平突条２の先端よりも内側に退避しているので、給紙カセット１のプリンタ１００への収納を妨げることはない。
【００２９】
次に、指をロック片３２の操作部３２ａに掛け、ロック片３２を用紙幅方向外側へ、すなわちロック片３２上に成型された矢印３２ｅに従って、ばね３３に抗して移動させる。移動が進み、操作部３２ａが、ロック片係合部３４との重なりから外れると、指の力によりロック片３２が下方に沈み込む。ここで、図１０、及び図１１に示すように、ロック片３２の係合部当接面３２ｂがロック片係合部３４の端面に当接し、ロック片３２が拘束される。ロック片３２は、ロック片３２をロック位置に付勢するばね３３の作用と、係合部当接面３２ｂとロック片係合部３４の当接面同士の摩擦により、このロック解除位置に留まり、ロック位置に移動してしまうことはない。
【００３０】
上記のようにしてスライドフレーム２０のロック解除がなされると、スライドフレーム２０を拡張状態に向けて移動することが可能となる。スライドフレーム２０を移動すると、続いてロック片３２の下部に設けられた支持突起３２ｄ（図１０参照）が、スロープ３５（図１５参照）に接触することになる。さらに、スライドフレーム２０の移動が進むと、このスロープ３５の斜面作用によりロック片３２が上方へと押し上げられる。引き続きスライドフレーム２０が移動してロック片３２が押し上げられると、図１２に示すように、操作部３２ａがロック片係合部３４よりも上方へ位置するようになり、ロック片３２がロック片係合部３４から解放される。これにより、ロック片３２は、ばね３３の作用によりロック位置に移動せしめられるはずであるが、ロック片滑走面２３横の段部２４に突き当たるので、スライドフレーム２０がロックされることはない（図１２、図１３参照）。
【００３１】
そして、図１４に示すように、ロック片３２が第２のロック溝３１ｂの位置に到達すると、ロック片３２は、ばね３３の作用により自動的にロック位置に移動せしめられる。したがって、ロック片３２と第２のロック溝３１ｂとが係合して、スライドフレーム２０が再びロック状態となる。ロック片３２のロック位置への移動と同時に、ストッパ４０も、再び水平突条２の先端よりも内側に退避する（図９参照）。なお、給紙カセット１をさらに拡張し、ロック片３２を第３のロック溝に係合させて使用することも可能である。
【００３２】
完全なロック状態の時には、ロック片３２が第２のロック溝３１ｂ、または第３のロック溝に奥まで係合し、ストッパ４０は、水平突条２の先端よりも内側に退避している（図４、図９、図１４参照）。したがって、給紙カセット１のプリンタ１００への収納を妨げることはない。しかしながら、不完全なロック状態の時には、ロック片３２がロック溝に奥まで係合していないので、ストッパ４０は、水平突条２の先端よりも外側に突出している（図１０、図１２、図１３参照）。その結果、給紙カセット１をプリンタ１００に収納しようとすると、図１５に示すように、ストッパ４０がプリンタ１００のフレームに引っ掛かり給紙カセット１の収納の妨げとなってしまう。
【００３３】
このようにして、機器であるプリンタ１００から引き出し可能な給紙カセット１において、基体部であるメインフレーム１０と、このメインフレーム１０に連結し、給紙カセット１の出し入れ方向に移動可能なスライド部であるスライドフレーム２０と、スライドフレーム２０の移動をロックするロック機構３０と、このロック機構３０と連動し、給紙カセット１の外部に出没するストッパ４０とを備え、このストッパ４０は、ロック機構３０がスライドフレーム２０をロックしている時には給紙カセット１の内側に退避してプリンタ１００への給紙カセット１の収納を妨げず、ロック機構がスライドフレーム２０をロックしていない時には給紙カセットの外側に突出して機器本体のフレームに引っ掛かり給紙カセットの収納の妨げとなるので、スライドフレーム２０のロックを忘れていたり、ロックが不十分であったりした場合に、ロックを確実に行うことを使用者に示唆することができる。スライドフレーム２０のロックが確実になされることにより、慣性力が作用してスライドフレーム２０が意図せず移動してしまうことがないので、用紙の適正な給紙位置からのずれと、これに起因する給紙不良を防止することが可能となる。
【００３４】
また、スライドフレーム２０の移動をロックするロック機構３０が、複数のロック溝３１と、このロック溝３１に係合するロック片３２と、このロック片３２をロック溝３１との係合位置であるロック位置に付勢する付勢手段であるばね３３と、このばね３３に抗してロック解除位置に変位せしめられたロック片３２を拘束するロック片係合部３４と、前記複数のロック溝３１間に設けられ、スライドフレーム２０を移動させる際ロック片３２に接触してロック片係合部３４からロック片３２を解放するスロープ３５とで構成されるので、ロック片３２を手で移動するだけでロック解除位置に拘束できるとともに、これに連動させてストッパ４０を給紙カセット１の外側に突出させることが可能である。一方、スライドフレーム２０を移動するだけで、ロック解除位置に拘束されたロック片３２を解放させ、ロック片３２がロック溝位置に到達した段階で自動的にスライドフレーム２０をロックすることができるとともに、これに連動させてストッパ４０を給紙カセット１の内側に退避させることが可能である。このようにして、ストッパ４０を、簡単に給紙カセット１外部に出没させることができる。したがって、上記のような簡便な機構により、使用者にスライドフレーム２０のロックを確実に行わせることが可能となる。
【００３５】
また、ストッパ４０とロック片３２とが、一体として構成されているので、ロック片３２のロック解除位置への移動と同時に、確実にストッパ４０を給紙カセット１の外側に突出させることができる。これにより、ロック機構３０がスライドフレーム２０をロックしていない時には、確実にストッパ４０がプリンタ１００のフレームに引っ掛かるようにすることができる。
【００３６】
なお、ストッパ４０は、ロック片３２と一体として構成されているが、各々を別部材としても構わない。また、ストッパ４０は、用紙幅方向の中央線に対して左右両側に２個設けられたロック機構３０のうち、いずれか一方にだけ設けられていることとしても構わない。
【００３７】
上記のように本発明の実施形態を示したが、この他、発明の主旨を逸脱しない範囲で種々の変更を加えて実施することができる。
【産業上の利用可能性】
【００３８】
本発明は、機器本体から引き出し可能な給紙カセットにおいて、用紙サイズに応じて縮小／拡張が可能な給紙カセットに対して利用可能である。
【図面の簡単な説明】
【００３９】
【図１】本発明の実施形態に係る給紙カセットとこれを備えたプリンタを示す斜視図である。
【図２】図１に示す給紙カセットの斜視図にして、縮小状態を示すものである。
【図３】図１に示す給紙カセットの斜視図にして、拡張状態を示すものである。
【図４】図３に示す給紙カセットの部分拡大斜視図である。
【図５】図４に示す給紙カセットのロック溝、及びスロープの模型的垂直断面部分拡大図である。
【図６】図４に示すロック片の上面斜視図である。
【図７】図４に示すロック片の下面斜視図である。
【図８】図４と同様の給紙カセットの部分拡大斜視図にして、縮小状態を示すものである。
【図９】図８のロック部分を示す模型的垂直断面部分拡大図にして、用紙供給方向下流側から見たものである。
【図１０】ロック解除状態にあるロック部分を示す模型的垂直断面部分拡大図にして、用紙供給方向下流側から見たものである。
【図１１】図１０のロック片係合部を示す部分拡大斜視図である。
【図１２】給紙カセットの拡張途中の状態にあるロック部分を示す模型的垂直断面部分拡大図にして、用紙供給方向下流側から見たものである。
【図１３】図８と同様の給紙カセットの部分拡大斜視図にして、拡張途中の状態を示すものである。
【図１４】は、第２のロック溝位置でロックされた給紙カセットの部分拡大斜視図である。
【図１５】不完全なロック状態にある給紙カセットをプリンタに挿入した状態を示す部分拡大斜視図である。
【符号の説明】
【００４０】
１    給紙カセット
１０  メインフレーム（基体部）
１３  ロック片収納部
１５  受座
２０  スライドフレーム（スライド部）
２３  ロック片滑走面
２４  段部
３０  ロック機構
３１  ロック溝
３２  ロック片
３２ａ  操作部
３２ｂ  係合部当接面
３２ｃ  受座
３２ｄ  支持突起
３２ｆ  開口
３３  ばね（付勢手段）
３４  ロック片係合部
３４ａ  ロック片当接面
３５  スロープ
４０  ストッパ
１００  プリンタ（機器）
【図１】
2006008377.tif 000003
【図２】
2006008377.tif 000004
【図３】
2006008377.tif 000005
【図４】
2006008377.tif 000006
【図５】
2006008377.tif 000007
【図６】
2006008377.tif 000008
【図７】
2006008377.tif 000009
【図８】
2006008377.tif 000010
【図９】
2006008377.tif 000011
【図１０】
2006008377.tif 000012
【図１１】
2006008377.tif 000013
【図１２】
2006008377.tif 000014
【図１３】
2006008377.tif 000015
【図１４】
2006008377.tif 000016
【図１５】
2006008377.tif 000017